(57)【要約】【課題】工事内容や工事の進捗状況等を写真撮影又は確認する際等に使用される従来の工事現場用黒板に代わるものであって、各種工事現場において、簡単且つ確実に設置でき、仮に落下したとしても重大な事故が起きないような安全性が高い工事現場用表示具を提供する。【解決手段】工事現場用表示具１０は、透明で柔軟な可撓性素材である合成樹脂等から成る袋状のシート部材１２と各種情報が明記された表示領域４４を有する表示部材１４とにより構成されている。シート部材１２の略中央部分にて折り曲げられて工事現場の基本部材４６に巻き付けるように取り付けられている。基本部材４６に巻き付けられた工事現場用表示具１０は、一対の着脱手段である台座側ホック３８とボタン側ホック３６ａとにより、左右２箇所で固着されている。シート部材１２の収容空間３４に収容されている表示部材１４の表示領域４４が作業者等の正面で見ることができるように設置する。【選択図】図８
2012155137.tif 000002
【特許請求の範囲】
【請求項１】
工事現場の枠組足場の基本部材に設置される工事現場用表示具であって、柔軟性及び可撓性を具備した素材から成るものであってその一部に各種情報を表示する表示領域を有するシート部材と、前記シート部材に取り付けられるものであって互いに着脱可能な第一着脱部材並びに第二着脱部材とから成り、前記枠組足場の基本部材に設置する際には、前記表示領域が外側になるように前記シート部材を環状に折り曲げて前記枠組足場の基本部材に巻き掛けて前記第一着脱部材と前記第二着脱部材とを固定して前記シート部材が前記枠組足場の基本部材から外れないようにすることを特徴とする工事現場用表示具。
【請求項２】
前記表示領域を前記シート部材とは別体の表示部材とすることを特徴とすることを特徴とする請求項１記載の工事現場用表示具。
【請求項３】
前記シート部材はその内部に前記表示部材を収容可能な収容空間を有する袋状とし、前記シート部材に前記表示部材を前記収容空間に挿入するための開口部を設け、前記収容空間に前記表示部材を収容可能した際に前記表示部材の収容位置に対応する前記シート部材の位置を透明部としたことを特徴とする請求項２記載の工事現場用表示具。
【請求項４】
前記開口部は前記シート部材を環状に折り曲げたときに内側となる部分に形成したことを特徴とする請求項３記載の工事現場用表示具。
【請求項５】
前記開口部にその開口部を被覆する蓋体を備えたことを特徴とする請求項３又は４記載の工事現場用表示具。
【請求項６】
前記シート部材における前記透明部以外の箇所を、各種情報の特定内容毎の色に着色したことを特徴とする請求項１乃至５のいずれかに記載の工事現場用表示具。
【請求項７】
前記第一着脱部材か前記第二着脱部材の一方が２個以上から成り、しかも２個以上の着脱部材を前記シート部材の異なる位置に取り付けたことを特徴とする請求項１乃至６のいずれかに記載の工事現場用表示具。
【発明の詳細な説明】
【技術分野】
【０００１】
本発明は、建築工事や土木工事等の各種工事現場において、工事内容や工事の進捗状況等の報告書に添付する写真撮影等に使用される工事現場用表示具に関するものである。
【背景技術】
【０００２】
従来から、建築物・建造物等を造る各種工事には、工事の進捗状況の報告書が作成され、その報告書には、工事現場を撮影した写真が添付されている。この写真撮影には、特許文献１に示すような工事現場用黒板が使用されている。一般的に、このような工事現場用黒板には、工事名、工事場所、撮影日時、施工者名、工事項目等の工事内容を示す各種情報が明記されている。写真撮影の際には、この工事現場用黒板を現場監督等が工事現場で手に持ったり、又は、建設途中の鉄筋・鉄骨部分や足場等に立て掛けたり引っ掛けたりする等して、工事現場と工事現場用黒板とを一緒に撮影する。
また、この工事現場用黒板は、上記写真撮影用としての用途以外にも、施行主や現場監督からの指示を各現場作業員に伝達するための伝言板や、工事工程の確認用の伝達板として利用されることもある。この際も、建設途中の鉄筋・鉄骨部分や足場等に立て掛けたり引っ掛けたりする等して設置されることが一般的である。
【先行技術文献】
【特許文献】
【０００３】
【特許文献１】特開２００１−２２３０９号公報
【発明の概要】
【発明が解決しようとする課題】
【０００４】
従来の工事現場用黒板は、通常、金属製や木製等の硬くて重い材質から成るものである。そのため、建設途中の鉄筋・鉄骨部分や足場等に設置したときに、強風が吹いたり、現場作業員の移動等により足場等（設置場所）が揺れたりすると、設置してあった工事現場用黒板が落下して、下方の作業者や通行人に怪我を負わせるおそれがある。特に、工事現場用黒板の設置場所が相対的に高い位置となる高層建築物や超高層建築物等の場合はさらに怪我の度合いが大きく、施工主や現場監督はその安全対策に常に頭を悩ましている状況である。しかも、従来の工事現場用黒板は、金属製や木製等のため重いので、高層位置での狭い足場やゴンドラ上の作業においては、持ち運び、組み立て、交換、撤去等の作業に苦労することも多い。
また、従来の工事現場用黒板は、黒色又は深緑色の板状体（黒板）に白色の文字にて各種情報を明記することが一般的である。このような工事現場用黒板を伝言板等として利用する場合、その伝達内容を現場作業員等が把握するためには、その文字が読める程度の至近距離までわざわざ近付く必要があり、遠くからでは一見してその内容を理解することができない。そのため、作業効率が低下するという不都合もある。
【０００５】
そこで、本発明は、上記のような問題点に鑑みて為されたものであり、工事内容や工事の進捗状況等を写真撮影又は確認する際等に使用される従来の工事現場用黒板に代わるものであって、各種工事現場において、建設途中の手摺りや足場等の鉄筋・鉄骨部分の設置部材に簡単且つ確実に設置でき、仮に落下したとしても重大な事故が起きないような安全性が高い工事現場用表示具を提供することを目的とする。また、指示内容を伝達する伝言板等として利用する際には、現場作業員等が遠くからでも一目でその内容を理解することができる工事現場用表示具を提供することを目的とする。
【課題を解決するための手段】
【０００６】
上記課題を解決するため、本発明に係る工事現場用表示具は、工事現場の枠組足場の基本部材に設置される工事現場用表示具であって、柔軟性及び可撓性を具備した素材から成るものであってその一部に各種情報を表示する表示領域を有するシート部材と、前記シート部材に取り付けられるものであって互いに着脱可能な第一着脱部材並びに第二着脱部材とから成り、前記枠組足場の基本部材に設置する際には、前記表示領域が外側になるように前記シート部材を環状に折り曲げて前記枠組足場の基本部材に巻き掛けて前記第一着脱部材と前記第二着脱部材とを固定して前記シート部材が前記枠組足場の基本部材から外れないようにすることを特徴とする。
また、前記表示領域を前記シート部材とは別体の表示部材とすることを特徴とすることを特徴とする。
また、前記シート部材はその内部に前記表示部材を収容可能な収容空間を有する袋状とし、前記シート部材に前記表示部材を前記収容空間に挿入するための開口部を設け、前記収容空間に前記表示部材を収容可能した際に前記表示部材の収容位置に対応する前記シート部材の位置を透明部としたことを特徴とする。
また、前記開口部は前記シート部材を環状に折り曲げたときに内側となる部分に形成したことを特徴とする。
また、前記開口部にその開口部を被覆する蓋体を備えたことを特徴とする。
また、前記シート部材における前記透明部以外の箇所を、各種情報の特定内容毎の色に着色したことを特徴とする。
また、前記第一着脱部材か前記第二着脱部材の一方が２個以上から成り、しかも２個以上の着脱部材を前記シート部材の異なる位置に取り付けたことを特徴とする。
【発明の効果】
【０００７】
本発明に係る工事現場用表示具によれば、工事現場用表示具を構成するシート部材が、合成樹脂等の柔軟性及び可撓性を具備する素材から成るので、任意の位置で環状に折り曲げて建設途中の枠組足場の基本部材に巻き掛けて、ホック等の一対の着脱手段でシート部材を環状に固定するだけで簡単に設置する（シート部材が枠組足場の基本部材から外れないようにする）ことができる。このように着脱手段でしっかりと固定して設置しているので、従来の工事現場用黒板のように枠組足場に単に立て掛けたり吊るしたりするだけの状態とは異なり、強風で飛ばされたり、枠組足場の揺れで倒れたりする心配が少ない。また、仮に着脱手段が外れて工事現場用表示具が下方に落下したとしても、本発明の工事現場用表示具を構成するシート部材は柔軟な素材から成るので、人体に当たっても重大な事故が起きる危険性がない。このように本発明の工事現場用表示具は安全性が高いので、特に、設置場所が相対的に高い位置となる高層建築物や超高層建築物のような工事現場でも安心して使用することができる。
また、簡単に設置できるうえ、安全性が高いので常設しておくこともでき、写真撮影の際には、現場監督等がその都度いちいち持参して撮影場所で手に持ったりする必要もない。一方、伝言板等として利用する際にも、常設しておけば、本発明の工事現場用表示具によって指示系統が簡素化されると共に統一されるという利点もある。
さらに、本発明の工事現場用表示具は、従来の金属性や木製の工事現場用黒板とは異なり軽く扱い易いので、高層位置での足場やゴンドラ上等の狭い作業空間においても、持ち運び、組み立て、交換、撤去等の作業が簡単にできる。
【０００８】
請求項２に示すように、工事項目や工程表等の各種情報を表示する表示領域をシート部材から分離して別体の紙等から成る表示部材とすれば、工事現場用表示具そのものを建設途中の手摺りや枠組足場の基本部材から取り外さなくても、その表示部材だけ取り外して各種情報の内容を簡単に書き換えたり、交換したりすることができる。また、シート部材の表面に各種情報を直接記入しないので、ベンジン等で各種情報をその都度消去したりする必要もなく、シート部材を手軽に何度も再利用できるようになる。
請求項３に示すように、シート部材はその内部に表示部材を収容可能な収容空間を有する袋状とし、収容空間に表示部材を収容した際に表示部材の収容位置に対応するシート部材の位置を透明部とすれば、シート部材の透明部を透して収容空間内の表示部材（表示領域）に明記された各種情報を外部から的確に把握することができる。そのため、表示部材をシート部材の表面に接着剤等で貼り付ける必要もなくなり、表示部材を開口部から簡単に出し入れするだけで交換が可能になる。また、収容空間内に表示部材を入れているので、降雨等でシート部材が濡れたり汚れたりした場合でも、表示部材に明記された各種情報が読めなくなる等という心配もない。なお、この袋部はシート部材の一部に形成するものであってもよいし、シート部材全体を袋形状にして実質的に袋部を備える構成としてもよい。
請求項４や請求項５に示すように、シート部材を環状に折り曲げたときの内側部分に開口部を形成し、その開口部に蓋体（フラップ）を備えることとすれば、降雨の際にも袋部内の収容空間内への雨水の浸入を好適に防ぐことができ、表示部材が雨水等に濡れて情報が読めなくなるという不具合を防止することができる。
請求項６に示すように、シート部材における透明部以外の箇所を、工程、進捗状況、指示、危険度等の各種情報に応じて予め決めておいた色に着色し、表示領域に表示された各種情報の内容ごとに色分けすれば、伝言板等として利用する場合には、現場作業員等はその色を識別するだけで、伝達される作業内容等その伝言内容の要旨（例えば、この箇所では○○工程を行う、この箇所での作業は特に注意を要する等）を容易に理解することができる。このように、色を識別するだけで済むので、文字が読める程度の至近距離までわざわざ近付く必要もなく、遠くからでも一目で簡単に判断することができる。一方、写真撮影用に利用する場合においても、後日その写真を見た際に色が視界に入れば感覚的に瞬時にその内容を判断できるという利点もある。
請求項７に示すように、第一着脱部材か第二着脱部材の一方が２個以上から成り、その２個以上の着脱部材をシート部材の異なる位置に取り付ければ、シート部材の収容空間に入れる表示部材の大きさに合わせて環状の輪の大きさを異なるものとすることができる。
【図面の簡単な説明】
【０００９】
【図１】本発明に係る工事現場用表示具を構成するシート部材を示す正面図である。
【図２】本発明に係る工事現場用表示具を構成するシート部材を示す背面図である。
【図３】図１のシート部材のＡ−Ａ断面図である。
【図４】図１のシート部材に用いる基材を広げた状態及び折り曲げた状態の斜視図である。
【図５】図１のシート部材の溶着部及び着脱部材の断面図である。
【図６】本発明に係る工事現場用表示具を構成する表示部材の正面図である。
【図７】図１のシート部材に図６の表示部材を入れて構成する本発明に係る工事現場用表示具の正面図である。
【図８】本発明に係る工事現場用表示具の使用状態を示す斜視図である。
【図９】本発明に係る工事現場用表示具の他の実施形態を示す正面図である。
【図１０】本発明に係る工事現場用表示具の他の実施形態における使用状態を示す参考図である。
【発明を実施するための形態】
【００１０】
本発明に係る工事現場用表示具は、表示部材を取り付けたシート部材を枠組足場の基本部材の断面の周囲に巻き掛け、シート部材に取り付けた一対の着脱手段で枠組足場の基本部材の断面の周囲に取り付けるものである。
【実施例１】
【００１１】
以下、図面に基づき、本発明に係る工事現場用表示具の第１実施形態について説明する。図１は、本発明に係る工事現場用表示具を構成するシート部材の正面図である。図２は、本発明に係る工事現場用表示具を構成するシート部材の背面図である。図３は、図１に示すシート部材のＡ−Ａ断面図である。図４は、図１のシート部材に用いる基材を広げた状態及び折り曲げた状態の斜視図である。図５は、図１のシート部材の溶着部及び着脱部材の断面図である。図６は、本発明に係る工事現場用表示具を構成する表示部材の正面図である。図７は図１のシート部材に図６の表示部材を入れて構成する本発明に係る工事現場用表示具の正面図である。
【００１２】
本実施例における工事現場用表示具１０（図７）は、透明で柔軟な可撓性素材である合成樹脂等から成る袋状のシート部材１２（図１〜図３）と、そのシート部材１２内部に収容される紙等から成る表示部材１４（図６）とから構成される。
【００１３】
まず、袋状のシート部材１２について説明する。
シート部材１２は、柔軟性及び可撓性を有する透明の基材１６を用いた袋形状である。シート部材１２の基となる基材１６は、例えば、ポリエチレン、ポリエステル、ポリプロピレン、ポリアミド、ポリ塩化ビニル、ポリ塩化ビニリデン等の合成樹脂からなる不織布が好ましい。このような合成樹脂であれば、丈夫であり、且つ、ある程度の柔軟性及び可撓性を備えているので任意の位置で自由に折り曲げることができるうえ、その表面は撥水性を有しているので好適である。また、本実施例では、これらの合成樹脂から成る基材全体を透明としているため、シート部材１２全体が透明な袋形状である。
【００１４】
袋状のシート部材１２を作るには、図４に示すように、例えば横幅が２０ｃｍ〜３０ｃｍで長さが１００ｃｍ〜１２０ｃｍの基材１６を用いて、その長尺方向の途中２箇所（Ａ−Ａ線位置と、Ｂ−Ｂ線位置）において、裏側に折り曲げる。なお、基材１６の縦横の長さは、これに限るものではない。基材１６において、折り曲げられないで元の位置を保つ箇所を表面部１８とし、裏側に折り曲げた箇所を２つの部材である裏面部２０ａ，裏面部２０ｂとから成る裏面部２０とする。裏面部２０ａの長手方向の長さと裏面部２０ｂの長手方向の長さとの合計の長さは、表面部１８の長手方向の長さよりも長く設定する。これによって、基材１６から裏面部２０ａと裏面部２０ｂとを折り曲げた状態では、裏面部２０ａにおける自由先端縁２２ａに近い領域（蓋体）２４は裏面部２０ｂの自由先端縁２２ｂにオーバーラップし、裏面部２０ｂの自由先端縁２２ｂを上から覆っている。
【００１５】
基材１６を折り曲げて、表面部１８と裏面部２０（裏面部２０ａと裏面部２０ｂとから成る）を形成した状態において、裏面部２０ａの両側の側縁２６ｐ（領域２４を除く）を表面部１８の一部の長さの両側の側縁２６ｑに合致させ、その合致させた両側の側縁同士とその付近（内側に向かう位置）を溶接させる。同様に、裏面部２０ｂの両側の側縁２８ｐを表面部１８の残りの長さの両側の側縁２８ｑに合致させ、その合致させた両側の側縁同士とその付近（内側に向かう位置）を溶接させる。溶接して接着した箇所を、溶着部３０とする（図１及び図２）。この溶着部３０を形成することによって、シート部材１２から袋状の形状が形成される。袋状形状のシート部材１２は、図３に示すように、開口部３２を有する収容空間３４が形成され、その開口部３２は蓋体２４で上から覆われている。開口部３２と蓋体２４は裏面部２０側の略中央部分に位置している。この蓋体２４の長手方向の長さＬ（図２）は、収容空間３４内に雨水等が浸入するのを防止できる程度であれば良く、例えば、約１ｃｍ〜２ｃｍ程度とすることが好ましい。収容空間３４内には後述する表示部材１４を収容するが、表示部材１４を収容空間３４の内部に収容する際には、蓋体２４を持ち上げて開口部３２を露出させ、その開口部３２から表示部材１４を収容空間３４の内部に収容する。
【００１６】
なお、袋状のシート部材１２を形成する方法は、溶着に限らず、接触する側縁を縫い合わせたり、接着剤やテープ等で接着する方法であったりしてもよい。また、本実施例のように一枚の基材１６を折り曲げて袋形状を形成する以外にも、二枚の基材を互いに貼り合わせて袋形状を形成してもよい。また、本実施例では、開口部３２を裏面部２０の略中央部分に形成したが、開口部３２を形成する位置はそこに限定されるものではない。また、本実施例では、基材１６の裏面部２０ａと裏面部２０ｂを重複させてその重複箇所の裏面部２０ａ側を蓋体２４としたが、端部同士は重複させずに少し離した状態で袋形状を形成してもよい。このときは、その離間している部分が開口部３２となり、蓋体２４は基材の一方の端部に別途添付する構成とすることが好ましい。
【００１７】
上記の通り構成されたシート部材１２の溶着部３０には、図５に示すように、一対の着脱手段であるホック（第一着脱部材）３６とホック（第二着脱部材）３８が取り付けられている。ここで着脱手段として使用されているホック３６，３８は、従来から既知の一般的なものであり、ボタン側ホック３６は凸部４０を有し、台座側ホック３８はその凸部４０と嵌合する凹部４２を有し、これらの凸部４０と凹部４２とは嵌合する。これらのホック３６，３８は、シート部材１２の溶着部３０に形成した貫通穴（図示略）に打ち付けて固定されている。なお、ホック３６，３８は、シート部材１２の溶着部３０（あるいはテープの取り付け部）に設けても、溶着部３０（あるいはテープの取り付け部）以外の箇所に設けても良い。
【００１８】
図５に示すように、シート部材１２の裏面部２０側（同じ面側）に、ボタン側ホック３６の凸部４０と、台座側ホック３８の凹部４２を露出させる。この構成により、シート部材１２を折り曲げて、シート部材１２の表面部１８側を外側にして、ボタン側ホック３６の凸部４０を台座側ホック３８の凹部４２に嵌合固定することによって、シート部材１２から環状の輪を作ることができる。シート部材１２には、ボタン側ホック３６と台座側ホック３８とは１個ずつであっても良いが、例えば複数個（２個以上）のボタン側ホック３６（シート部材１２への取り付け位置を変える）と１個の台座側ホック３８を設けるか、１個のボタン側ホック３６と複数個（２個以上）の台座側ホック３８（シート部材１２への取り付け位置を変える）を設けるようにするのが望ましい。ボタン側ホック３６と台座側ホック３８のうち、いずれか一方を複数とすることで、シート部材１２の収容空間３４に入れる表示部材１４の大きさに合わせて環状の輪の大きさを異なるものとすることができる。
【００１９】
シート部材１２の大きさを変えれば、種々のサイズの表示部材１４に対して適応することが可能となる。例えば、本実施例のように、Ａ５サイズ程度の表示部材１４（図６）を用いる場合は、図８に示す通り、略中央部分付近で折り曲げて台座側ホック３８とボタン側ホック３６ａとで固着して使用することができる。一方、少し大きめのＡ４サイズ程度の表示部材（図示略）を用いる場合には、上端から略三分の一程度の部分で折り曲げて台座側ホック３８とボタン側ホック３６ｂとで固着して使用することができる。また、シート部材１２を取り付ける枠組足場の基本部材の断面の大きさに応じて、枠組足場の基本部材の周囲にきっちり取り付けることが可能となる。なお、着脱手段は、固定強度や取り付けの容易さを考慮して、本実施例のようなホック３６，３８が好ましいが、自由に着脱できるものであれば、釦、線ファスナー、面ファスナー、磁石等を利用しても構わない。
【００２０】
次に、表示部材１４について説明する。
表示部材１４としては、紙や不織布等、植物や合成樹脂等の繊維を絡ませながら薄く平らに成形したものを利用することが好ましい。表示部材１４は、収容空間３４内に収容可能な大きさであり（ここではＡ５サイズ程度）、その表示部材１４の表面には表示領域４４を有している。その表示領域４４には、文字や記号等の各種情報がパソコンやワープロ等によって印刷されていたり、手書きで記入されたりする。各種情報とは、例えば、図６に示すような、「工事名：○○○大規模修繕工事」、「部位：躯体ひび割れ補修  ０．３ｍｍ以上」、「仕様：Ｕカットシーリング工法」、「１  施工前、２  Ｕカット完了、３  プライマー塗布、４  シーリング完了、５  樹脂モル埋戻し、６  施工後（以上、工程表）」、「○○○テラス棟（工事対象施設名）」、「確認者名：大塚」、「施工者：大塚ビルライフケア」等の必要情報である。また、上記工程表には進捗状況を把握するためのチェックボックス「□」や日付記入箇所「  ／  」も明記されている。本実施例においては、黒地に白文字・白線という構成であり、各項目ごとに罫線が施されて表形態にすることにより各種情報の内容が見やすく構成されている。特に、黒地に白文字・白線という配色は、工事現場においては映えて非常に見やすく有効である。ただし、配色や表示形式等は当然これらに限定されるものではない。
【００２１】
図７に示す通り、工事現場用表示具１０は、上述したシート部材１２と表示部材１４との組み合わせにより構成されている。具体的には、表示部材１４をシート部材１２の裏面部２０側に形成されている開口部３２から収容空間３４内に挿入することにより構成される。開口部３２は、表示部材１４の挿入後は蓋体２４によって覆い被された状態で閉鎖されている。本実施例においては、シート部材１２全体が透明なので、このとき、表示部材１４の表示領域４４は、シート部材１２の表面部１８を透して外部から視認できるようになっている。なお、本実施例においては、シート部材１２全体を透明としたが、透明部にするのは、表面部１８のうち少なくとも表示領域４４が対面する部分だけでもよい。また、表面部１８を透明として、裏面部２０を着色する（非透明とする）ようにしても良い。
【００２２】
次に、図８を参照して、上記構成の工事現場用表示具１０を工事現場に設置して使用する具体的方法について説明する。工事現場用表示具１０は、シート部材１２の裏面部２０を内側にして環状に折り曲げられ、工事現場の手摺り等の枠組足場の基本部材４６に巻き掛けられる。手摺り等の基本部材４６に巻き掛けられた工事現場用表示具１０は、台座側ホック３８とボタン側ホック３６ａとにより、手摺り等の基本部材４６を環状に巻き付けた状態で左右２箇所で固着されている。このとき、シート部材１２は、その表面部１８が外側になり、開口部３２が形成されている裏面部２０が内側になるように、手摺り等の基本部材４６に巻きつけた状態で固定される。また、シート部材１２の収容空間３４に収容されている表示部材１４の表示領域４４は、撮影方向や作業者等から正面に見えるように設置する。このように設置することにより、表示領域４４に明記された各種情報がシート部材１２の表面部１８を透して視認でき、写真撮影の際にもはっきりと撮影することができる。
なお、本実施例においては、水平な手摺り等の枠組足場の基本部材４６に巻き掛ける構成としたが、水平な手摺りだけでなく、垂直な手摺り等にも同様に設置することができる。また、本実施例では、表示部材１４をＡ５サイズ程度のものとしたので、略中央部分で折り曲げて引っ掛ける構成としたが、表示部材１４（表示領域４４）がもう少し大きいもの（例えば、Ａ４サイズ程度のもの）であったとしても容易に対応できる。この場合、折り曲げて引っ掛ける部分を上方（略三分の一程度）に変更し、台座側ホック３８とボタン側ホック３６ｂとで固着して設置すればよい（図示略）。
【００２３】
上記の通り設置した工事現場用表示具１０は、枠組足場の基本部材４６の断面周囲に巻き掛けてホック３６，３８を固定しているので、枠組足場の基本部材４６の断面周囲に巻き掛けたシート部材１２の環状状態をしっかり保持することができる。よって、強風で飛ばされたり、枠組足場の基本部材４６が揺れても外れたりする心配が少ない。また、仮にホック３６，３８が外れて落下した場合であっても、工事現場用表示具１０を構成するシート部材１２及び表示部材１４共に柔軟な素材から成るため、人体（特に頭部等の危険な部位）に当たっても怪我をするおそれがなく、重大な事故が起こる危険性がないので非常に安全である。さらに、シート部材１２開口部３２は蓋体２４によって覆われており、しかも開口部３２は折り曲げられたシート部材１２の内側に位置しているので、開口部３２から収容空間３４内への雨水の浸入を好適に防ぐので、降雨等で表示部材１４が雨水に濡れたり汚れたりすることはなく、表示領域４４に明記された各種情報が読めなくなるという心配もない。
【実施例２】
【００２４】
次に、本発明に係る工事現場用表示具の第２実施形態について説明する。第１実施例のようにシート部材１２を袋形状とすることが、天候対策や表示部材１４の書換・交換の面からは好ましいが、コスト削減を重視するのであれば、シート部材１２を袋形状とせず一枚のシート状にしても本発明の主目的（安全性の追求）は達成することができる。図９は、本発明に係る工事現場用表示具の第２実施形態を示す正面図である。工事現場用表治具５０は、柔軟性及び可撓性を有する合成樹脂からなる１枚のシート部材５２と、そのシート部材５２の表側となる位置に着脱される表示部材１４（表示領域４４を含む）とから成る。シート部材５２への表示部材１４（表示領域４４を含む）の着脱は、接着テープ（図示せず）等の接着手段を用いて行う。なお、表示部材１４（表示領域４４）はシート部材５２と一体としてもよい。即ち、シート部材５２の表側となる位置に各種情報を明記した表示領域４４を直接設けても良い。また、シート部材５２は、必要に応じた色に着色することが望ましい。
【００２５】
シート部材５２には、第１実施形態と同様、一対の着脱手段であるホック（第一着脱部材）３６とホック（第二着脱部材）３８が取り付けられている。シート部材５２には、ボタン側ホック３６と台座側ホック３８とは１個ずつであっても良いが、例えば複数個（２個以上）のボタン側ホック３６（シート部材１２への取り付け位置を変える）と１個の台座側ホック３８を設けるか、１個のボタン側ホック３６と複数個（２個以上）の台座側ホック３８（シート部材１２への取り付け位置を変える）を設けるようにするのが望ましい。
【００２６】
この第２実施例においても、シート部材５２を着色する際には、複数の色彩を用い、各種情報の内容ごとに色分けすることにより、その配色に規則性を持たせる。即ち、表示部材１４の表示領域４４（図６）に明記されているように、工事には「１  施工前、２  Ｕカット完了、３  プライマー塗布、４  シーリング完了、５  樹脂モル埋戻し、６  施工後」のように各工程があるが、その工程の進捗状況ごとに異なる色（この場合は六色）から成るシート部材５２を使用する。
【００２７】
図１０は、本発明に係る工事現場用表示具１０，５０（第１実施例及び第２実施例）の使用状態を示す参考図である。例えば、図１０に示す通り、工事現場５４の或る箇所が現在「３  プライマー塗布」の段階だとすると、その箇所には第１実施例のシート部材１２の裏面部２０（第２実施例のシート部材５２）を黄色に着色した工事現場用表示具１０１を設置する。一方、他の或る箇所が現在「４  シーリング完了」の段階だとすると、その箇所には第１実施例のシート部材１２の裏面部２０（第２実施例のシート部材５２）を赤色に着色した工事現場用表示具１０２を設置する。一方、さらに他の或る箇所が現在「５  樹脂モル埋戻し」の段階だとすると、その箇所には第１実施例のシート部材１２の裏面部２０（第２実施例のシート部材５２）を青色に着色した工事現場用表示具１０３を設置する。
また、図示はしないが、本発明に係る工事現場用表示具１０，５０の応用例として、各箇所の危険度や注意レベルごとに色分けすることもできる。例えば、普段通り作業可能な箇所には第１実施例のシート部材１２の裏面部２０（第２実施例のシート部材５２）を黄色に着色した工事現場用表示具１０，５０を設置する。一方、危険度が高く要注意な箇所には第１実施例のシート部材１２の裏面部２０（第２実施例のシート部材５２）を赤色に着色した工事現場用表示具１０，５０を設置する。
【００２８】
このように、工程、進捗状況、指示、危険度等ごとに予め決めておいた色の工事現場用表示具１０，５０を設置すれば、この工事現場用表示具１０，５０を伝言板等として利用する場合には、現場作業員等は字が読める程度の至近距離までわざわざ近付く必要もなく、遠くからその色を識別するだけで、例えば、「この箇所では○○工程を行う」「この箇所での作業は特に注意を要する」等の伝達される作業内容等その伝言内容の要旨を一目で簡単に判断することができる。一方、写真撮影用に利用する場合においても、後日その写真を見た際にその色が視界に入れば感覚的に瞬時にその内容を判断できるという利点がある。
【００２９】
なお、裏面部２０を着色した袋形状のシート部材１２を形成する方法は、上述した第１実施例と同様の方法でも構わないが、ここでは二種類の基材（表面部１８用の透明な基材と裏面部２０用の着色された基材）を用意してそれら二枚の基材を貼り合わせて袋形状を形成することが好ましい。この方法の方がより簡単で実用的である。
また、第２実施例のように、シート部材５２を袋形状とせずに着色した一枚のシート状にしてもよい。この場合は、例えば、シート部材５２の表面に表示部材１４を接着剤等で貼り付ける等すればよい。なお、このときは、着色するのは、表示領域４４以外の目立つ部分とすることが好ましい。
【産業上の利用可能性】
【００３０】
本発明に係る工事現場用表示具であれば、各種工事現場において、手摺り等の枠組足場の基本部材に簡単且つ確実に設置でき、仮に落下したとしても重大な事故が起きず安全性が高いので、特に高層建築物や超高層建築物等の工事現場での利用に最適である。このように、本発明に係る工事現場用表示具は、工事内容や工事の進捗状況等を写真撮影又は確認する際等に使用される従来の工事現場用黒板に代わるものとして広く利用されることが期待されるので、実用性及び利用価値は非常に高い。
【符号の説明】
【００３１】
１０    工事現場用表示具
１２    シート部材
１４    表示部材
２４    蓋体
３０    溶着部
３２    開口部
３４    収容空間
３６    ボタン側ホック（第一着脱部材）
３８    台座側ホック（第二着脱部材）
４４    表示領域
４６    枠組足場の基本部材
５０    工事現場用表示具
５２    シート部材
１０１  工事現場用表示具
１０２  工事現場用表示具
１０３  工事現場用表示具
【図１】
2012155137.tif 000003
【図２】
2012155137.tif 000004
【図３】
2012155137.tif 000005
【図４】
2012155137.tif 000006
【図５】
2012155137.tif 000007
【図６】
2012155137.tif 000008
【図７】
2012155137.tif 000009
【図８】
2012155137.tif 000010
【図９】
2012155137.tif 000011
【図１０】
2012155137.tif 000012